(57)【要約】【課題】  釣り用振出し式玉網の柄に関し、潮の満干や釣り足場の高低に伴う水面までの距離に対し、適正な振出し長の調整と、水面にて獲り込んだ魚の引上げ作業の軽便化を目的としたもので、さらに現在使用中の振出し式玉網にも流用でき、安価に市場に提供できるもの。【解決手段】  玉網の柄である振出し式竿管内孔の全長に亘り緊張材を貫通させ、その一端を竿先管部と連結し、他方側を竿管後端外へ膨出させ、前記緊張材の咬止と開放を操作できる構造を有した部材を竿管後端部に連設螺着させた構成で、振出し時の前記緊張材の開放と任意な振出し量での咬止及び収縮時の前記緊張材の収縮側一方向だけの開放を特徴としたもの。【選択図】図１
0003141104.tif 000002
【実用新案登録請求の範囲】
【請求項１】
直径が一端側から他端側にテーパー状に漸増する複数段の中通繋ぎ竿において、前記複数段の中通繋ぎ竿の竿管内孔に竿管全長に亘り緊張材を貫通させ、竿先部と前記緊張材の一端とを連結したことを特徴とする中通繋ぎ竿。
【請求項２】
上記竿管後端部に上記緊張材の咬止と開放を操作する構造部材を螺着連設したことを特徴とする請求項１に記載の中通繋ぎ竿。
【請求項３】
上記構造部材を、市販の中通繋ぎ竿の尻栓と交換取付け可能にしたことを特徴とする請求項２に記載の中通繋ぎ竿。
【考案の詳細な説明】
【技術分野】
【０００１】  本考案は、中通繋ぎ竿の釣り用玉網の柄の振出し式竿管に関し、詳しくは柄の振出し長さ調整と収縮技術に関するものである。
【背景技術】
【０００２】  従来、釣り用玉網の柄は長手方向にテーパーが付けられた円筒状の竿管で、その全長を複数段に分割し、大径基竿に前記複数の小径先竿管を収納でき、且つその複数の竿管を振出し式に繋ぎ合わせる構成の中通し繋ぎ竿管であって、その先端に玉網を装着した釣り用玉網は、通常最縮の収納状態で傍らに準備しておき、使用時片手にて玉網の柄を持ち、もう片方で釣り竿を操作しながら水面に向けて振出すものである。【０００３】  ところが、振出された柄の伸長状態では、潮の満干や釣り場の高さによっては必要以上に長かったりする。このため、振出しながら大径基竿内より膨出する小径先竿管を大径基竿先端部分で把持し、指先などに軽く摺動させ、玉網の着水時に拘持して使用したり、一旦伸長状態まで振出してから、柄の握持部を前方側へと持ち替えて使用したりしている。【０００４】  そうして、魚を水面にて玉網に獲り込み、伸長状態の柄の各竿管を手元側へと手繰り寄せ魚を獲得するが、獲り込んだ魚と振出した柄の重量とを手繰り寄せながら、尚且つ戻らないよう両手で持ち替えながら引き寄せ、各段順次大径基竿に収納しながら釣った魚を獲得している。
【考案の開示】
【考案が解決しようとする課題】
【０００５】  上述した問題を解決するための本考案の目的は、釣り場からの適正な柄の振出し長さの調整が容易にでき、柄の伸長状態からの手繰り寄せ（収縮作業）の軽便化を目的としたものである。
【課題を解決するための手段】
【０００６】  本考案１は、直径が一端側から他端側にテーパー状に漸増する複数段の中通繋ぎ竿において、前記複数段の中通繋ぎ竿の竿管内孔に竿管全長より長い緊張材を貫通させ、竿先部と前記緊張材の一端とを連結したことを特徴とする中通繋ぎ竿で、本考案２は、前記竿管後端部に前記緊張材の咬止と開放を操作する構造部材を螺着連設したことを特徴とし、本考案３は、前記構造部材を、市販の中通繋ぎ竿の尻栓と交換取付け可能にしたことを特徴とする請求項２に記載の中通繋ぎ竿である。以下詳細に説明する。本考案は、円筒状で長手方向にテーパーが付けられた竿管で、その全長を複数段に分割し大径基竿に前記複数の小径先竿管を収納でき、これら複数の竿管を振出し式に繋ぎ合わせる構成の中通繋ぎ竿の玉網の柄であって、その先端に装着する網枠の連結部材と柄の竿管全長内孔に貫通させた緊張材の一端を繋着し、他方を柄の後端部より膨出させた構成で、前記緊張材の引き緩め操作によって、柄全長の伸縮操作を可能にしたことを特徴としたものである。【０００７】  また、上記した構成の柄の後端部に尻栓を螺合する竿側螺子に、橋絡管、伸縮装管を連接螺合一体化し、上記緊張材を貫通させた構成で、前記伸縮装管に内設する咬止具により緊張材の咬止を可能にした特徴を有するものである。【０００８】  さらに、上述した構成の柄は、後端部に連設された伸縮装管において、柄の長手方向に前後方移動可能に設けた操作リングにより、柄の全長内孔に貫通させた緊張材を咬止と開放に切替え操作ができる構造を設けたもので、振出した玉網を任意に止めることが可能となる。従って、干満による水面までの距離の変化に影響されること無く、何時でも適正な振出し長で使用することが可能となる。【０００９】  一方、上述した構成の柄は、魚の獲り込み後の収縮時、伸縮装管の操作リングは、上記振出しを止めた位置にて緊張材を引き収縮するが、伸縮装管内で咬止されている緊張材は、後方へ引かれるとほぼ同時に、咬止から開放する構造で、緊張材の引き操作を止めると緊張材は直ちに咬止されるよう構成されており、収縮途中で緊張材を手放しても逆戻りしないことを特徴としている。【００１０】  また、上述した中通繋ぎ竿の柄の構成は、伸長状態からの収縮時、柄の後端部から膨出する緊張材を柄の前方（水面）側に引くのが作業上望ましく、柄の後端部において、緊張材が滑らかに摺動する円形状の摺動ガイドを備えたことを特徴としたことで、緊張材の引き方向を選ばないものである。
【考案の効果】
【００１１】  本考案の中通繋ぎ竿の玉網の柄は、柄の全長内孔に貫通させた緊張材と柄の後端部に連設された伸縮装管の操作により、水面までの適正な振出し長と、玉網に獲り込んだ魚の容易な引き上げ作業が行なえる。【００１２】  また、上述した構成の伸縮装管は、現在使用中の玉網であっても、柄の先端に装着する網枠の連結部材に連穿や螺合部材による緊張材との係止手段、及び柄の後端部の尻栓を伸縮装管と交換螺合により構成可能としたことで、安価で数多く提供できるものとしている。
【考案を実施するための最良の形態】
【００１３】  本実施形態を添付図面に基づいて詳述すれば、図１は玉網の全体構成を示すもので、円筒状の長手方向にテーパーが付けられた竿管で、複数段に分割し、振出し式に繋ぎ合わせた中通繋ぎ竿であって、各径竿管とこれらを収納する大径基竿管４の一実施例で、小径先竿管３の先端に装着される網枠２、それに玉網１が吊着されたものであり、竿管内孔には竿管全長に亘り緊張材６が貫通され、大径基竿後端より竿管外部へと膨出させたものである。【００１４】  図２は、小径先竿管３の先端付近の拡大説明図で、先端に装着する網枠２が螺合式であって、その連結螺子７に、長手方向に竿管内孔と連穿させて緊張材６を貫通し、その端部を抜け止めの繋着瘤６ａにより係止したもので、繋着瘤６ａは他の部材を使って係止しても構わないものとしている。【００１５】  また、図３に示す一実施例とした拡大説明図では、連結螺子７の端末部に小螺子７ｂを削成し、緊張材６の端部を嵌挿係止した係止部材８を螺嵌連結した構成で、容易に嵌脱できるものとし、網枠２の着脱に支障がないもので要は、連結螺子７と緊張材６が連結できれば良いものとしている。【００１６】  図４は、上述した如く緊張材６が貫通する大径基竿管４の後端部付近を示す拡大説明図で、大径基竿管後端部に橋絡管２８、伸縮装管５を連設螺合し、伸縮装管５外周には竿管長手方向に前後移動するよう嵌挿された操作リング１５を備えている。【００１７】  上記操作リング１５の外周両側には、竿管後方側へ向けた楔形状の切替えガイド２５を備え、対の回動軸１４間に介在させたもので、操作リング１５の最後方移動時は、対の回動軸１４を拘持する拘持鉤３２を有している。【００１８】  また、伸縮装管５後端に連設する調整尻栓２１は、調整螺子２２にて螺合させ、その螺子上に正逆両方向に回転させることで前後両方向に移動するダイヤル２３を備え、中央に緊張材６が貫通する貫通孔２９ａを設けたもので、その内側から外側に架かる外装を円形状とし、緊張材６が滑らかに摺動する摺動ガイド２６としたもので、水抜き孔２７と保護ラバー３１を適度に設けた構成としている。【００１９】  図５は、図４の矢視線Ａ−Ａによる横断面図で、上述した如く大径基竿管後端部の竿側螺子９に、小径各竿管の格納時の衝撃緩和材１２を備えた橋絡管２８、伸縮装管５、調整尻栓２１を連設螺合したもので、伸縮装管５内部には、前方側より緊定漏斗管１３、咬止具１１、開閉ガイド２４が並設する構成で、竿管長手方向中心部を緊張材６が貫通し、その緊張材６の咬止と開放を連動操作する対の回動軸１４は、図示する如く竿管長手方向に直角をなす方向に軸支され、それは操作リング１５の切替えガイド２５と係合させるよう位置させたものである。なお、前記開閉ガイド２４は、調整螺子２２、調整尻栓２１と一体化成形されたものとしている。【００２０】  上記した対の回動軸１４は、夫々の両端末を半円筒断面のカム３０に削成し、操作リング１５の前後方移動操作により、カム３０は切替えガイド２５の楔形状に着接摺動しながら回動する構成としている。【００２１】  図６は、伸縮装管５に内設する各部材の説明図で、最前方に位置する緊定漏斗管１３の外周両側に作動羽１６を備え、対の回動軸１４には、長手方向中央部に刻設カム１７を削成し、これに作動羽１６を垂設した構成で、上述した回動軸１４の回動を刻設カム１７から作動羽１６へ連動させ、緊定漏斗管１３が前後に移動する構成としている。【００２２】  また、緊定漏斗管１３は、貫通する緊張材６の滑動を妨げない漏斗形状を前後方に有し、前側端末は橋絡管２８の緊張材貫通孔２９ｂ外周に冠着する形状とし、後側は咬止具１１と嵌合する構成としているが、嵌合する咬止具１１は、その後部が外側へ擺動する構造を有し、その擺動を妨げない長さ（深さ）と、後側端末付近を外側へと湾曲させた形状で対応しているが、前記擺動ができる形状であれば良い。【００２３】  咬止具１１は、上記した如く緊定漏斗管１３と嵌合する漏斗形状の筒状体で、竿管長手方向に２分割で衝合成形され、後部側には竿管長手方向と直角をなす方向にＶ字形状の咬止歯１９、２０を向き合わせ、それを重合させた構成で、これに緊張材６を挟み込む構造とし、Ｖ字形状の両の側羽１９ａ、２０ｂは、夫々が向き合い重合することで衝合体である咬止具１１のズレ止めとしている。【００２４】  さらに、２分割衝合体である咬止具１１は、外周に設けた溝３４に環状緊張材１８にて締着し、上記した対の咬止歯１９，２０にて緊張材６の挟持を可能としたもので、挟持された緊張材６には、獲り込んだ魚や振出した柄の重量で竿先側へと掛かる張力により、前記咬止具１１は緊定漏斗管１３の後方側漏斗管に引き込まれ、嵌合する形状と前記重量にて咬止具１１の外周が押圧され、更なる緊定が生じるよう構成されたものである。【００２５】  また、上記した２分割衝合体の咬止具１１後端の羽子板３３は、夫々が衝合する側面を歯合する形状に成形することでズレ止めとしている。【００２６】  一方、玉網を振出す時の緊張材６の開放は、前述した如く操作リング１５の後方側への移動操作で、回動する回動軸１４の刻設カム１７が垂設する作動羽１６を押圧し、緊定漏斗管１３は嵌合押圧されている咬止具１１と共に後方側へ移送される構成としている。【００２７】  そして、移送される咬止具１１後端部の羽子板３３は、その直後に並設された漏斗形状の開閉ガイド２４に摺動しながら擺動する構造で、２分割衝合体である咬止具１１の咬止歯１９，２０も前記擺動により緊定を緩め、緊張材６は開放される構成で、操作リング１５の拘持鉤３２にて回動軸１４を拘持固定が可能となる。【００２８】  上述した構成において、図７（ａ）は咬止具１１が緊張材６の挟持状態を示したもので、咬止歯１９，２０を重合させることで緊張材６の挟持力増が図られるもので、図７（ｂ）には緊張材６の開放状態を示し、対の咬止歯間に常時緊張材６を囲繞するものである。【００２９】  また、重量による張力により緊張材６が痩せたりする変異などで羽子板３３が開閉ガイド２４に着接するまでの間隔（遊び）を調整する必要が生じるが、調整尻栓２１を回動することにより開閉ガイド２４を前後に移動調整し、ダイヤル２３で固定する構成としている。【００３０】  図８は、延長接ぎ手１０の説明図で、操作リング１５に取り付け若しくは一体化した接ぎ手を通常握持する大径基竿中間部付近での操作リング１５の前後切替え操作ができるようにしたもので、担ぎベルト３５に干渉しない形状と方向で竿管に付設させたものとしている。【００３１】  以上、本考案の実施形態を上述した中通繋ぎ竿は、水面にて魚を獲り込んだ後、担ぎベルト３５を肩に掛け、片手にて緊張材６を前方に引き続ければ良い。
【図面の簡単な説明】
【００３２】
【図１】は、本考案の中通繋ぎ竿である玉網の全体を示す説明図である。
【図２】は、本考案の先竿管先端部の一実施例を示す説明図である。
【図３】は、本考案の先竿管先端部の他の実施例を示す説明図である。
【図４】は、本考案の竿管後端部の伸縮装管を示す説明図である。
【図５】は、本考案の伸縮装管の一部断面図である。
【図６】は、本考案の伸縮装管内の部材の配設説明図である。
【図７】は、本考案の咬止具の挟持状況（ａ）、開放状況（ｂ）の説明図である。
【図８】は、本考案の操作リングの延長接ぎ手を示す側面図である。
【符号の説明】
【００３３】  １          玉網
２          網枠
３          小径先竿管
４          大径基竿管
５          伸縮装管
６          緊張材
６ａ        繋着瘤
６ｂ        咬持部材
７          連結螺子
７ａ        連穿孔
７ｂ        小螺子
８          係止部材
９          竿側螺子
１０          延長接ぎ手
１１          咬止具
１２          衝撃緩和材
１３          緊定漏斗管
１４          回動軸
１５          操作リング
１６          作動羽
１７          刻設カム
１８          環状緊張材
１９          咬止歯
１９ａ        側羽
２０          咬止歯
２０ａ        側羽
２１          調整尻栓
２２          調整螺子
２３          ダイヤル
２４          開閉ガイド
２５          切替えガイド
２６          摺動ガイド
２７          水抜き孔
２８          橋絡管
２９ａ        貫通孔
２９ｂ        貫通孔
３０          カム
３１          保護ラバー
３２          拘持鉤
３３          羽子板
３４          溝
３５          担ぎベルト
３６          指掛け
【図１】
0003141104.tif 000003
【図２】
0003141104.tif 000004
【図３】
0003141104.tif 000005
【図４】
0003141104.tif 000006
【図５】
0003141104.tif 000007
【図６】
0003141104.tif 000008
【図７】
0003141104.tif 000009
【図８】
0003141104.tif 000010